(57)【要約】      （修正有）【課題】強震後の火災発生時の多所に発生する初期の小火災の消火を可能とする。【解決手段】住民やそのグループが保持・使用可能な小型の放水器を、強震後の緊急事態に際して住民に広く普及している二輪車の後輪等の駆動材によって駆動し、各戸の貯水槽の水を多所に発生する小火災に向けて放水し、住民が共同して初期消化する。【選択図】    図３
2004358199.tif 000002
【特許請求の範囲】
【請求項１】
強震後の火災発生時に停電・水道断水と建物の倒壊による化学消火器の持出不能と消防車の到着遅延とが重った緊急事態に備えて住民が保持・使用可能な初期の小火災を消火用の放水器であって、
二輪車の後輪等の駆動材によって回動する被動部を備えた回転軸と、
該回転軸に装備された翼部を収容し吸水管・噴水管を連結した送水筒と、
該回転軸・該送水筒を装備し固設手段を備えた本体と、
を具備した消火体を有することを特徴とする養護装置。
【請求項２】
電子計算機のシステムにより各製品の循環型への体制がシステム化される複数の枠（領域）を含み、
各製品の全課程に於ける量的管理・情報管理が表示される量情報管理枠と、
資源環境面を重視した無駄排除技術等の諸技術が収集・契約される資源環境枠と、を具備した循環体を有することを特徴とする養護装置。
【請求項３】
電子計算機のシステムにより循環型の体制がシステム化される循環体の使用方法であって、
各製品の全課程に於ける量的・情報管理が各枠の表示に基き実行される段階と、
資源環境面を重視した無駄排除技術等諸技術が収集・契約される段階と、
を具備した循環体の使用方法を有する養護装置の使用方法。
【請求項４】
電子計算機のシステムにより遊休土地の貸農地への開発と貸農地の賃貸等の供給の体制がシステム化される貸農体の使用方法において、
遊休土地の貸農地への開発計画・開発契約等が表示される開発枠と、
該貸農地の案内地図・区画番号付の案内区画図が表示される案内枠と、
該貸農地の諸条件提示・賃袋契約が表示される条件枠と、
を具備した貸農体を有することを特徴とする
【請求項５】
電子計算機のシステムにより遊休土地の貸農地への開発と貸農地の賃貸等の体制がシステム化される貸農体の使用方法であって、
該遊休土地の貸農地への開発計画・開発契約等が実行される段階と、
該貸農地の借地希望者への諸案内・条件提示・予約等が実行される段階と、
該予約の申込に応じて開発が実行される段階と、
該貸農地お賃貸等の契約が実行される段階と、
を具備した貸農体の使用方法を有する養護装置の使用方法。
【発明の詳細な説明】
【０００１】
【発明の属する技術分野】
本発明は養護装置とその使用方法に関し、詳しくは２０世紀の人類の活動が原因して止むを得ず訂起されることになった、限りある資源の枯渇の危機的な課題、地球温暖化の危機的な課題、廃棄物の大量化と循環型社会に転換への課題、日常の健康・安全・食料の課題、等の深刻な諸課題に対して応急的な個々の技術を開発し、近未来の社会の養護の一手段を図らんとするものである。
【０００２】
【従来の技術】
２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。資源の枯渇・地球温暖化・廃棄物の増大・日常の健康・安全・食料・等への危機的傾向が深刻さを増し、いずれも全地球規模の課題となりつつあるからである。まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、資源・環境・廃棄物・健康や安全・食料等大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと
2004358199.tif 000003
農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のようあな諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は養護され尽されねばならない。そのためには、環境破壊の原因の排出を繰返してきた２０世紀の人類の活動の全てが個々の立場に於て検証され、最善の対策が図られるべき必要に迫られてきた。前記したように私達は便利さと、快適さと、物資の豊さと、を手に入れたのと引換えに毎日実に多くの資源やエネルギーを消費している。例えば、我国では１年間に排出される一般廃棄物は約５千万トン（東京ドームの１３８杯分）を越え、産業廃棄物は約４億トン（同１１０４杯分）を越えている。後者では最終処分場があと１．６年で満杯となり以後は廃棄する場所に困するとされている。このような大量の廃棄物の原因になっているものは、日常生活や経済活動で使用され捨てられた膨大な製品の集積であり、膨大な製品は実に大量の資源やエネルギーを使って製作されたものである。大量生産・大量消費・大量廃棄によって私達は深刻な廃棄物問題から、さらに発展して資源枯渇問題・環境問題という非可逆な深刻な課題に直面することになっている。以上は先進国に共通する課題であるが、先進国に追いつき・追い越す勢いを増しつつある発展途上国も先進国とほぼ同様の経週をたどるとすれば人口が膨大であるだけに世界全体では現在の数倍の規模になる。資源枯渇問題・地球温暖化問題・廃棄物問題は２１世紀以後の近未来に深刻な影響を及ぼす地球規模の課題である。
【０００３】
［発明が解決するべき課題］
前記のように、有限資源・地球環境は全く奇跡的な比類のない創生であるから、当然のことであるがこれは現在の人類のためだけのものではない。未来に向けて末永く生存するべき膨大な未来の人類が共有するべき生存の源泉である。ところが、実際には、有限資源・地球環境は現在のわずか１〜２世紀の人類の活動が原因して枯渇されあるいは破壊されかけようとしている。この状況を、判り易いグラフで示すと図２のようになる。例えばかけがえのない化石燃料が如何に現在の数世紀の短期間に集中して猛烈に消費され尽そうとしており、この結果大量の二酸化炭素が排出され、かけがえのない地球環境が急激に温暖化して食料の減産や海水面が上昇して臨海地域が徐々に水没化してゆく危機が切迫している。化石燃料は石油が枯渇されれば石炭が液化され消費されるから、現在の消費傾向が続けば２〜３世紀のうちに石炭も枯渇され地球温暖化は激しさを増す。化学が進歩しても化石燃料と全く同じ物性は製造され難い。近未来の世代は化石燃料が枯渇（無く）して初めてその有難さを痛切に知り、地球温暖化は激化して痛切に後悔せざるを得ない。資源環境は非可逆性の故に近未来の世代は現代の結果をそのまゝ受継ぐしかなく圧倒的な弱者である。ここに化石燃料は現在の段階から消費が可能な限り削減され温存される体制のシステム化が必要となる。
2004358199.tif 000004
に具現化されているから、これらが個々の立場に於て検証され最善の対策が図られる必要に迫られてきた。
他方、健康・安全はすべての人々の活動の源泉であり、永遠の課題でもあるが、個々に検討されるべき課題でもある。食料の課題は地球温暖化の激化により減産すると予測されており、２１世紀後半に１００億人を越えると予測される世界人口の激増により近未来は食料不足の危機を迎える。また、１０〜５０数年後に高騰〜枯渇する石油資源による運般費の関係で食料の価格は高騰する。これらの深刻な課題と対して応急的にでも対処しうる手段は如何にあるべきか。
【０００４】
本発明は上記した従来の課題に鑑みて成したもので下記を主な目的とする。
（１）本発明の第１の目的は、有限な資源の枯渇の危機からの養護を図ることである。特に石油資源は地球独得のものだが、現在の消費傾向が続くとあと５０数年で枯渇、２５年で輸入困難、１０年で需給関係の崩壊による価格の高騰、等の深刻な危機が到来すると予測されている。この深刻な危機を現在の時点から痛切に感じ取り消費が極少で済み未来に永く温存する体制に転換されることが、次世代以後の近未来の社会を深刻な打撃から養護する一手段を図ることになる。
【０００５】
（２）本発明の第２の目的は、地球温暖化の危機からの養護を図ることである。現在の二酸化炭素の排出傾向が続くと２１世紀後半から臨海都市や地域の水没化・水不足・食糧の減産・環境難民の続出、等世界規模の危機の傾向が漸次進行すると予測されている。地球温暖化は２０世紀以後の人類の活動が原因しているから活動のあり方を個々に検証し二酸化炭素の排出源が極少で済むよう転換されることが、近未来の社会を深刻な打撃から養護する一手段を図ることになる。
【０００６】
（３）本発明の第３の目的は、循環型社会の形成による上記課題の解決への寄与を図ることである。経済の高度成長は大量廃棄時代の到来となり、資源枯渇問題、地球温暖化問題を訂起すに至っている。そこで、膨大な数量の各製品が生産・流通・消費・廃棄の各段階を通じて資源やエネルギー利用の無駄が少く環境への負荷が低減化される循環型社会の形成に転換されることが、近未来の社会を深刻な打撃から養護する一手段を図ることになる。
【０００７】
（４）本発明の第４の目的は、日常生活の健康維持・安全維持・食料維持の課題への養護を図ることである。社会で活動する人々にとって健康・安全・食料は活動の源泉であり、これなくして労働意欲の維持・社会の発展はあり得ないが難しい課題でもある。これらの難しい課題を個々に検討を図ることが日常生活を養護し上記の課題を解決する一手段を図ることになる。
【０００８】
（１−１）実施例    消火体                次に、（１−１）実施例について図を参照して説明する。図の図（ａ）は消火体の一実施例を示す断面図、図（ｂ）は同上実施例を示す斜視図、図（ｃ）は放水器の構造を示す拡大図である。本実施例の消火体は、強震後の火災発生時に停電・水道断水と○建物の倒壊による化学消火器の持出不能と多所の火災による消防車の到着遅延と○等が重なった緊急事態に備えて、住民が保持・使用可能な小型の放水器を二輪車の後輪等の駆動材で駆動し、貯水材の水を噴水管で噴出して多所の初期の小火災を消火して大火災への発展による大規模な悲惨な災害からの養護を図り、簡単な構造の放水器と二輪車の活用とで資源の養護を図るものである。本実施例の消火体は、駆動材と、放水器と、によって構成される。
○  駆動材は、住民に広く普及している二輪車のスタンド立された後輪を意味し、強震後の停電・水道断水の非常時でも駆動される。消火体は非常時以外に例えば屋根への雨水を貯留する貯水材の水を庭の散水用に使用する希望に対して、駆動材は減速付の○電動モータの動部が放水器の被動部に仮結合可能なように構成されてもよい。貯水材の水は水道水の節減になる。
○  放水器は、駆動材に圧接して回動される被動部を備えた回転軸と、吸水管○○から吸入される水を噴水管○○へと圧送するよう回転軸に装備される翼部を収容した送水筒と、によって構成されている。
吸水管は貯水材の水を吸水し、噴水管は初期の小火災に向けて水を噴出する。被動部は凹凸があり弾性がある二輪車の後輪に圧接して滑らず回動されるよう外周面が例えばローレット状・凹凸付小タイヤ状に形成される。送水筒や翼部は強靭な合成樹脂または非鍍性の金属によって適厚に形成される。送水筒を装備した本体は被動部が駆動材に圧接する状態が維持されるよう本体の固定片を土へ打込み、望ましくはブロック等を載せる固設手段で固設される。吸水管と噴水管とは通常水道の蛇口に連結される散水用ホースが１本または複数本、連結具や分岐具を介して連結されれば経済的である。消火体は住民数戸の併有とすれば経済的である。
【０００９】
（１−２）実施例    循環体                次に、（１−２）実施例について図を参照して説明する。図の図（ａ）は循環体の一実施例で情報機器の表示の領域を示す平面図、図（ｂ）は他の実施例の表示の領域を示す平面図である。本実施例の循環体は、部品生産枠・流通消費枠・廃棄再利用枠
2004358199.tif 000005
エネルギー消費の無駄が少い循環型のシステムを構成して産業廃棄物の大量化と有限資源の枯渇と地球温暖化との危機に対して養護の一手段を図るものである。本実施例の循環体は、製品の全課程の各枠と、資源環境枠と、で成る。
2004358199.tif 000006
、及び製品の組立や包装の段階の現状量が現状欄に表示され、後続の各枠に対応して具体的に調整された調整量が調整欄に各々表示される。また、部
2004358199.tif 000007
○  流通消費枠は、流通欄と消費欄とで成り、製品の流通の段階の販売量・在庫量及び製品の消費の段階の故障・修理の現状量が現状欄に表示され、各枠に対応して具体的に調整された調整量が調整欄に各々表示される。流
2004358199.tif 000008
○  廃棄再利用枠は、廃棄欄と再利用欄とで成り、製品の廃棄や回収の段階の廃棄量・回収量及び製品の再利用の段階の再利用量が現状欄に表示される。廃棄と再利用は資源・環境に影響が大きいので量的把握をして対応する。廃棄
2004358199.tif 000009
【００１０】
（１−３）実施例    貸農体                次に（１−３）実施例について図を参照して説明する。図の図（ａ）は貸農体の一実施例を示す平面図、図（ｂ）は同上実施例を示す平面図、図（ｃ）は同上実施例を示す平面図である。本実施例の貸農体は、遊休土地の貸農地への開発と貸農地に関する諸案内、
2004358199.tif 000010
貸農地の供給の体制とをシステム化して、膨大な非就農・非就労の借地者には休日等の田園農作によって健康増進・農作物入取の体制を可能にし、約１０年後に高騰する石油資源による輸入運般費の高騰と、世界人口の増大による食料不足と
2004358199.tif 000011
本実施例の貸農体は、開発枠と、案内枠と、条件枠と、で成る。
○  開発枠は、農協等の管理頁に遊休土地の所有者・住所・開発契約や土地名・土地の番地・開発月日等が表示される。下記の案内枠と、条件枠も共に表示される。遊休土地には農休地と開墾地とがある。後者は開発枠の表示で開発要請を兼ね契約に従い農場等が開墾機械等で経済的に開墾して造成・区画材の埋設・区画番号板の付設等全ての開発を代行する。区画は散在して埋込まれるブロック等の区画材と竹材等によって成される。
○  案内枠は、下記の条件枠と共に開発枠と同時に○案内地図や案内区画図が電子計算機に表示されることで膨大な○非就農や非就労の借地希望者に情報提供され、賃貸の申込の状況に応じて開発開始が決断され○契約に応じる。契約は条項頁を満足すれば契約欄に表示する。
○  条件枠は、区画番号板と一致する区画番号を表示する区画番欄○○と、貸地期間を表示する期間欄○○と、賃貸料を表示する賃料欄○○と、貸農地の契約を略式、
2004358199.tif 000012
され、なるべく低価格とされる。契約欄は表示・消去が契約・解消を兼ねる。車による往復以外、農器具は袋入りで畑に埋めて保管される。石油資源の高騰までに体制の軌道化・農作業の習熟等に数年の見込が必要である。
【００１１】
（１）  消火体は、強震後の火災発生時に停電・水道断水と、建物倒壊による化学消火器の持出不能と、道路事情や多所の火災による消防車の到着遅延と、が重る緊急事態に対して、住民が保持・使用可能な小型の放水器を二輪車の後輪等の駆動材によって駆動し貯水材の水を噴出して初期の小火災を消火できる。従って、消火体は多所の小火災が大火災に発展するのを未然に防止し、大規模な悲惨な災害からの養護を図ることができる。小型の放水器は極めて簡単な構造であり広く普及している二輪車の後輪の動力でよって駆動されるから資源を養護できる。屋根への雨水等を貯留する貯水材の水は平時は庭の散水用に活用できる。
【００１２】
（２・３）    循環体（その使用方法）は、電子計算機システムによって各製品の全課程の量的管理・情報管理が迅速・効率的・経済的・広域的に可能になる。また、各製品はライフスタイルやライフサイクルを見通し資源環境面を重視した無駄排除技術や用法技術が収集・情報化・実施契約され、資源対応型の製品や環境調和型の製品を開発する体制がシステム化される。循環体は現行の電子計算機のみで構成され経済性と資源を養護できる。これにより資源やエネルギ消費の無駄が少い循環型への体制がシステム化されれば、産業廃棄物の大量化と有限資源の枯渇と地球温暖化との危機に対する養護の一手段を図ることができる。
【００１３】
（４・５）    貸農体（その使用方法）は、遊休土地の貸農地への開発、及び貸農地の賃貸が電子計算機システムのネットワークによって連携して広域・迅速・効率的・経済的に成される。従って広大な遊休土地の活用体制、貸農地の膨大な非就農・非就労の借地者への賃貸の供給体制がシステム化される。借地者は休日に家族を含む縁の田園での農作により適当な運動・ストレス解消・いやしの効果で健康が養護され面積と努力とに応じた農作物が入取される。土地の所有者は遊休土地が適当な収入源となり借地者等の田舎来訪により交流が生れ過疎の農村が活性化される。口としては食料の自給率は極めて低いが１０〜５０数年後に価格高騰〜枯渇が予測される石油資源によって輸入等の運賃が高騰するので食料の価格も高騰するが、遊休土地・労働力の活用体制により自給率は上る。農産物は地球温暖化の激化により減産傾向となり、２１世紀後半に１００億を越える世界人口により食料不足は必ず訪れる。外口でも体制のシステム化の必要性は高い。貸農体は開墾機械と電子計算機とで体制が構成され経済性と資源を養護できる。食料を工場で生産するには大きな設備投費を必要とし、消費電力が大きくエネルギー不足の会社に適しない。太陽光の恵みを存分に受ける自然の遊休土地の活用と、非就農・非就労の膨大な余剰の労働力の自発的な活用と、の体制がシステム化され整然と合理的に広域的に構成されることで、近未来に予測される深刻な食料不足の危機に対して応急的な養護の一手段を図ることができる。
【図面の簡単な説明】
【図１】２０世紀の人類の活動による資源・環境の課題と２１世紀の予測を示す図である。
【図２】有限資源の現在の消費状況と枯渇の予測、及び理想的な温存を示す図である。
【図３】消火体の一実施例を示す図である。
【図４】循環体の一実施例を示す図である。
【図５】貸農体の一実施例を示す図である。
【符号の説明】
Ｌ５０      消火体
Ｌ５１      放水器
Ｌ５２      本  体
Ｌ５３      送水筒
Ｌ５４      回転軸
Ｌ５５      被動部
Ｌ５６      翼  部
Ｌ５７      吸水管
Ｌ５８      噴水管
Ｌ５９      駆動材
Ｌ６０      循環体
Ｌ６１      量情報管理枠
Ｌ６２      部品生産枠
Ｌ６３      流通消費枠
Ｌ６４      廃棄再利用枠
Ｌ６５      現状欄
Ｌ６６      調整欄
Ｌ６７      資源環境枠
Ｌ６８      無駄排除欄
Ｌ６９      用法欄
Ｌ７０      貸農体
Ｌ７１      条件枠
Ｌ７２      区画番欄
Ｌ７３      契約欄
Ｌ７４      期間欄
Ｌ７５      貸料欄
Ｌ７６      開発枠
Ｌ７７      所有者名欄
Ｌ７８      土地名欄
Ｌ７９      案内枠
【図１】
2004358199.tif 000013
【図２】
2004358199.tif 000014
【図３】
2004358199.tif 000015
【図４】
2004358199.tif 000016
【図５】
2004358199.tif 000017